(57)【要約】【目的】  制御回路基板を被覆する合成樹脂製の保護カバーに識別表示するに当って、該保護カバーの使用を終了した後に、上記識別表示を前記保護カバーに残すことなく取り除き、使用した合成樹脂材料を不純物のない状態で回収すること。【構成】  合成樹脂を材料に箱型に形成される保護カバー１の前面表示部１ａには該表示部より隆起する台状の表示隆起部２を形成して、この隆起部２の上面に識別表示４を行い、この識別表示を除去する際にはカッターにより前記表示隆起部２の上面表層部を削り取って前記識別表示４を除去し、使用する合成樹脂材料中に該識別表示の混入を防止して前記材料の物性、品質を保持するようにする。【選択図】        図１
2006006838.tif 000002
【特許請求の範囲】
【請求項１】
制御回路基板を被覆する合成樹脂製の保護カバーにおいて、前記保護カバーの前面表面部には該表面部より隆起する台状の表示隆起部を形成し、該表示隆起部上面に表示体を固設し、前記制御回路基板の識別表示をすることを特徴とした保護カバー。
【請求項２】
請求項１の記載において、表示隆起部は上面周縁部に沿って囲み突起を隆設することを特徴とした保護カバー。
【請求項３】
請求項２の記載において、囲み突起は表示隆起部上面周縁部に沿って不連続に突出する小突条であることを特徴とした保護カバー。
【請求項４】
請求項２の記載において、囲み突起は表示隆起部上面周縁部に沿って連続し環状に形成される小突条であることを特徴とした保護カバー。
【請求項５】
請求項１，２，３，４の記載において、表示体は識別表示を施した表示シールであることを特徴とした保護カバー。
【請求項６】
請求項１，２，３，４の記載において、表示体は表示隆起部上面に印刷される識別表示であることを特徴とした保護カバー。
【請求項７】
請求項１，２，３，４の記載において、表示体は識別表示を記録する記憶チップであることを特徴とした保護カバー。
【発明の詳細な説明】
【技術分野】
【０００１】
本発明は、パチンコ機、スロットマシン、パチスロ等の遊技機に装備される諸種の制御回路基板について、これを保護するため被覆される保護カバーに関する。
【背景技術】
【０００２】
制御回路基板を保護するための保護カバー、ことにパチンコ遊技機等に使用される制御回路基板の保護カバーは、制御回路基板を外部から覗いて視認できるように透明な合成樹脂を材料に成形されている。これと同時に保護カバーで被われた制御回路基板が定められた基板であり、その製造者が誰であるのか、またその管理番号を直ちに識別できるように保護カバーの見易い場所、通常前面の表面部に識別表示が施されている。
【０００３】
この識別表示は義務化されたもので一般には紙或いは合成樹脂製のシートからなる表示シートを貼り付けることによって行われている。この表示シートは前述したように保護カバーの前面表面部の見易い部分に接着剤によって貼り付け付設しているのが普通である。
このシールの貼り付けは義務化されていることもあり、極めて一般的なものであり、例を挙げるまでもないが、例えば特開平１１−７６５６１号公報に開示される如くである。
【特許文献１】特開平１１−７６５６１号公報、特許請求の範囲の項中請求項１、明細書の段落０００９、００１０、００１２、００１７、及び図面の図１、図４。
【０００４】
この様に遊技機における制御回路基板の保護カバーには、識別表示としての表示シールが貼られているが、遊技機を廃棄処分するような場合、併せて廃棄される制御回路基板をリサイクル処理に回したとき、保護カバーに付設した上記シールが再利用の妨げとなる問題があった。
即ち、廃棄処分される制御回路基板の保護カバーは基板から外された後、再利用に当って粉砕処理に回され、資源として回収されるが、このとき不純物を取り除く上から表示シールを剥す必要がある。この表示シートは不正な使用中の貼り替えを防ぐ上から、つまり貼り替えによる表示の変更により不正行為が行われるのを防止するため強固に接着されるものとなっており、そのため容易に剥離できないものとなっている。
【０００５】
従来、この様な状況の中で多大な労力を払ってシールの取り除きを行っているが、強力な接着がされることから完全な除去ができず、一部が付着したまゝとなったり、接着のため使用した接着剤が保護カバーに付着したまゝとなってこれが資源回収の際に合成樹脂に混入してその物性、品質の低下をもたらす問題があった。
【発明の開示】
【発明が解決しようとする課題】
【０００６】
本発明は、上述した従来の保護カバーに対する識別表示にかゝわる問題点、つまり表示シールの貼り付けによる表示方法から生ずる資源回収時の問題点に鑑み、これを改善する目的で開発されたものである。
【０００７】
前述したところから明らかな様に、従来保護カバーに対する表示シールが強力な接着剤により強固に接着されることから剥離することが困難となり、一部が残ったり、或いは接着剤が付着したまゝとなることにより使用合成樹脂を回収する際に、これらが不純物として混入し、合成樹脂の物性及び品質を低下させることになったことから、本発明では保護カバーから識別表示に使用される表示シールを始めとしてその他の識別表示物を容易に、且つ確実に除去できるようにして、リサイクル作業の効率化を図ると共に、不純物の混入を防止して回収資源である合成樹脂の物性並びに品質の維持を図ることができるように改善した制御回路基板の保護カバーを提供せんとするものである。
【課題を解決するための手段】
【０００８】
本発明は、上述の目的を達成するため、制御回路基板を被覆するための合成樹脂製の保護カバーにおいて、該保護カバーの前面表面部に該表面部より隆起する台状の表示隆起部を形成し、この隆起部上面に表示シール、識別表示のための印刷、或いは識別表示を記録したＩＤチップ等の識別表示のための表示体を貼り付け、或いは埋設する等して表示するようにしたことにある。
【０００９】
保護カバーは、前述したように透明な合成樹脂を材料にして形成されるもので、板状をなす制御回路基板の全面を被覆できるように浅い箱形に形成して上記基板の表面に対面する前面表面部に前記表示隆起部を形成することになる。
【００１０】
前記表示隆起部は、保護カバーを成形する際に一体に成形することになる。そして、この表示隆起部は保護カバーの前面表面部から隆起した状態で台状に形成し、その上面を表示シール等の表示体を付設することが可能な広さに形成する。
また、表示体が表示シールの如く平面的なものである場合、その全面が明瞭に表示できるように平滑面とし、またＩＤチップの如く表示体の場合にはこのチップを埋設できる高さに形成することになる。
【００１１】
ところで、表示隆起部の高さは後述するようにこの隆起部の上面に付設した表示体を取り除く際に、切削のカッターが前面表面部を削り取ることなく表示隆起部の上面部分、即ち表層部のみを削り取れる高さが確保されるものであればよく、更に高いものである必要はない。
【００１２】
この表示隆起部の高さは言い換えれば、カッターによる切削作業時にカッターの刃先が前面表面部に接触し保護カバー本体部分を削り取るのを避けるための高さであり、具体的にはカッターの刃先を前記前面表面部に沿って並行に移動させたとき、表示隆起部の上面部分、即ち表示シール等の表示体が固着する表層部分のみが削り取れる高さが確保されていればよいことになる。
【００１３】
この様に形成される上記表示隆起部は、その上面を平面状に形成し、表示シールの貼り付けを容易にする外、貼付した表示シールの剥離を防止するため上記上面の周縁部に沿って囲み突起を形成し、表示シールが外力によって周縁部から剥されるのを防止するのを含む。
【００１４】
上記囲み突起は、好ましくは貼り付ける表示シールの厚みを超える高さのものであることが望まれるが、厚みに等しいか、上面から僅かに隆起する程度の高さであっても有効に作用することになる。
【００１５】
この囲み突起は、上面周縁部に沿って連続した突条であることが望ましいが、不連続のものであっても、物の接触や衝突による外力を受け止め直接表示シートの周縁部に作用するのを回避する上で有効なものとなる。
【００１６】
この様に構成される本発明保護カバーは、その前面表面部に形成される表示隆起部の上面に表示シールを貼り付けて表示する外に、この上面にはインクによる印刷によって識別表示する方法、或いは識別情報を記録したＩＤチップを貼り付け、或いは埋設することによって表示することが可能であり、これらの表示体は表示隆起部を上面に沿って切削することにより表示シールと同様に保護カバーから外すことができる。
【００１７】
ところで、本発明においては保護カバーから表示シート等の表示体を外す場合、カッターにより切削し、材料の一部と共に除去することになるが、この場合使用されるカッターは表示隆起部の上面表層部に沿って、好ましくは薄く掻き取れるものであればよく、従ってカッターの種類、形状等は特定されない。
【００１８】
たゞ、より効率的に切削除去するカッターとして周面に切削刃を備えた回転形カッターが適している。
回転形カッターの回転軸を水平に支持し、その下方を上記回転軸に対して直交する方向に保護カバーを移動させ、前面表面部に隆設する表示隆起部の上面部をカッターの周面に接触するようにすると、回転する刃先によって上記前面表面部に並行して上面部を薄く剥ぎ取ることができ、必要以上に材料を掻き落し、無駄にすることがなくなる。
【００１９】
そして、この場合水平に支持するベッド上に前記回転形カッターの回転軸に対して直交する方向に保護カバーを誘導する案内台を備え、この案内台をガイドに保護カバーを送り込むようにすれば、連続して表示隆起部の上面部を切削除去することが可能となり、迅速な処理作業が期待することができる。
【発明の効果】
【００２０】
本発明は、以上の様に構成されることから保護カバーの表面に貼り付ける表示シートを剥し取る必要がなく、従って強力な接着剤による表示シートの貼り付けができる一方、除去する際にはこの接着剤の接着力に全く影響されることなく、また接着剤を残すことなく保護カバーから除去することができることから、保護カバーの廃棄処分時に使用材料の合成樹脂を回収するに当って不純物の混入を完全に避けることができ、物性並びに品質の高い状態で使用合成樹脂を回収することができることになる。
【００２１】
また、本発明保護カバーは前記表示隆起部の上面周縁部に沿って囲み突起を隆設させた場合、浮き出た表示隆起部の上面にあってもこの突起に囲まれた上面内側に貼着される表示シール等の表示体は側方からの外力が作用することがあってもこの突起によって保護されることからシールの縁部から剥されるようなことがなく安定した固着状態が得られる。
【００２２】
勿論、本発明に係る保護カバーは、表示体を除去するに当って、表示隆起部が保護カバーの前面表面部から浮き上った状態にあることから前述の如くカッターでの削り取りが容易であり、不純物の除去を確実に、しかも迅速に、連続して行える利点がある。
次に、本発明に係る保護カバーにつき実施の形態につき説明し、更にその特徴とするところを明らかにする。
【発明を実施するための最良の形態】
【００２３】
図１は本発明に係る保護カバーの概略斜視図であり、図２は図１の中央縦断正面図である。
保護カバー１はパチンコ遊技機の背面部に備えられる遊技を制御するための遊技制御回路基板（図示せず）を覆うものであり、ここには図示しない下カバーと共働して回路ボックスを構成し、この内部に上記遊技制御回路基板を収め、保護することになる。
【００２４】
この保護カバー１は前述したように上記内部の遊技制御回路基板を外部から視認可能なように光透過性を有する合成樹脂材料、ここではポリカーボネートを材料に箱形に形成し、板状に形成する下カバーと抱き合わせて開口部を塞ぎ、この両者の間に介挿する遊技制御回路基板を挟み込む状態で封入するようにしてあり、保護カバー１（ここでは、前記下カバーに対する上カバーになる。）の前面表面部１ａを透して上記遊技制御回路基板の表面が覗き込めるようにしてある。
【００２５】
図中、２及び３は前記保護カバー１の前面表面部１ａから隆起させ、浮き出るように形成した大小の表示隆起部である。
この表示隆起部２，３は保護カバー１に表示が義務付けられている遊技制御回路基板（ここでは、遊技制御回路基板であるが、本体制御回路基板であることも、またその他の回路基板であることもあり、一つに特定されない。）を特定表示するための表示部であり、大の表示隆起部２にはパチンコ遊技機の機種名を表示するための表示シール４が、また小の表示隆起部３にはこのパチンコ遊技機に使用する遊技制御回路基板が不正に交換されたり、或いは変更されたり、修正されたりされることがないよう管理するための管理番号を付した表示シール５が貼られている。
【００２６】
上記２つの表示隆起部２，３は、保護カバー１を成形する際に前面表面部１ａから浮き出るように一体に形成される。そして、これらの表示隆起部はそれぞれの上面２ａ，３ａを上記表示シール４，５に合せてこれらを貼り付けられる大きさに形成される。
これら表示隆起部２，３は、前面表面部１ａから任意の高さに形成されるが、後述するようにカッターで削り取る際に、前記前面表面部１ａを削ることなく表示隆起部２，３の上面部、即ち表示部分のみが削り取れる高さであればよく、実質的には材料節約の面から２〜３ｍｍの高さに形成されゝば充分となる。
【００２７】
上記表示隆起部２，３に対し、表示シール４，５は接着剤６を介して一体となるように接着し固着することになる。
尚、図示するように表示隆起部の上面２ａは、これに貼着する表示シール４との間に大きさの差を設けず、略全面を覆う状態で貼り付けるようにしているが、これは前記高さの選択と同様に表示隆起部の材料節約によるもので、可能な限り表示シールの大きさに合せて小面積に形成することが望まれる。
【００２８】
図３は、保護カバー１の前面表面部１ａから隆設した表示隆起部２の上面２ａの周縁部に沿って突起７を隆起し、上面に貼る表示シール４の周縁部を囲むようにした他の実施形態を示したものである。この突起７によって表示シール４の縁部のめくれ上りが防止され、不正な貼り替えが行われたり、剥ぎ取りによって製造者等の出所を隠し、不法に廃棄されたりするのを防止する。
【００２９】
尚、本実施形態では表示体として表示シール４，５を用いる例につき説明するが、表示方法としては表示シールに代えて上面２ａ，３ａにインクを用いて直接印刷する方法、或いはＩＤチップを貼り付けるか埋設して表示シールに代える場合があり、このときにもこれら表示体は保護カバーの前面表面部１ａから浮き上った位置に設けられることになる。
【００３０】
さて、図４、図５は保護カバー１の使用を終了し、リサイクル作業に回された後に表示体の除去作業を示したものである。
図面において、８は作業用のベッドであり、９はベッド８の上方に設置したカッター装置である。
ベッド８は保護カバー１を前面表面部１ａを上向きにして水平に支持し、ベッド８上に前後間隔を置いて並行に付設する２つの案内枠１０，１０間を通して右から左（矢符方向）に移動できるようにしてある。
【００３１】
カッター装置９は上記２つの案内枠１０，１０間の直上にあって周面に多数の切削刃１１を備えた回転刃１２をその回転軸１３を水平に支持することによって保護カバーの前面表面部１ａ、即ちこの図面では上面に対設できるようにしてある。
【００３２】
このカッター装置９はモータ１４を収めるケース１５を垂設する支柱１６に対して上下方向に摺動自由となるよう支持してあり、このケース１５の前後に並行して垂設する軸受腕１７に前記回転刃１２の両端の回転軸１３を回転自由に軸着させてある。そして、後方に突き出す軸端にプーリ１８を備え、前記モータ１４の駆動軸１９に備える駆動プーリ２０との間にベルト２１を掛け渡してモータ１４により回転刃１２を回転させられるようにしてある。
尚、回転刃１２の幅方向の寸法は前記隆起部２，３の幅寸法より大きく設定して、一回の切削作業により完了できるようにすると作業の効率化の上で有利である。
【００３３】
カッター装置９は迅速に、しかも確実に保護カバー１から表示体を取り除くため準備されたもので、作業に当っては図示するようにベッド８上に保護カバー１を水平に載せ、前後の案内枠１０，１０に案内させてカッター装置９の下に送り込むことになる。
このときケース１５の高さを調節し、回転刃１２の下縁が表示隆起部２（又は３）の表層部に接触する高さに支持し、前記ベッド８上を水平に送り込まれる保護カバー１の表示隆起部２をその上面部分と、これに設けられる表示体、つまり表示シール４を一緒に削り取るのである。
【００３４】
このカッターによる削り取りは保護カバー１の上面１ａから突き出す表示隆起部２の表層部分のみとなるので、表示体と共に削り取られる合成樹脂材料は僅かであり、従って少量の廃棄処分に止まるが、付設された表示体、つまり表示シール４は接着剤６と共に保護カバーから完全に除去されることになるのでその後の回収処理においてこれらの不純物が混入することがなく、使用合成樹脂をそのまゝ回収することができることになる。
【００３５】
この表示体の削り取り作業において、次々と保護カバー１をベッド８の上面に沿って水平に移動させ、送り込めば、同じ高さにある各表示隆起部２の表層部が回転刃１２によって削り取られることになるので、連続した作業の中で表示体が付着した部分だけが削り取られることになり、材料の無駄が回避され、またカッター装置に対する負荷が小さくなり、従って効率的に作業できることになる。
【００３６】
尚、ここでは表示隆起部２に対して表示体として表示シール４を接着剤６を用いて接着した場合を説明しているが、この表示シールに代って上面２ａにインクによる印刷を施し表示するようにした場合、或いはＩＤチップを貼り付けたり、埋設したりした場合も同じくカッター装置９による削り取り作業によって保護カバーから除去することができる。
【００３７】
ところで、前記説明のように保護カバーの上面に２つの表示隆起部を２，３を隆設する如く複数の表示隆起部を形成する場合は、それらの高さを揃えると共に、切削時の移動方向に揃えて配置すると、前記カッター装置による削り取りを一回の操作で完了することができるので都合がよい。
【００３８】
また、本実施の形態ではカッター装置につき回転刃１２としたものを使用しているが、表示隆起部の表層部を削り取るものであれば、一枚刃によるものであってもよく、また極端にはグラインダー形の削り取り方式のものであってもよく、その種類、型式は特定されるものではない。
【図面の簡単な説明】
【００３９】
【図１】本発明に係る保護カバーの概略斜視図。
【図２】本発明に係る保護カバーの概略拡大中央縦断右側面図。
【図３】他の実施形態における概略拡大中央縦断右側面図。
【図４】表示隆起部の上面を切除する作業状態を説明する正面図。
【図５】図４の左側面図である。
【符号の説明】
【００４０】
１          保護カバー
１ａ        前面表面部
２，３      表示隆起部
２ａ        表示隆起部の上面
４，５      表示体たる表示シール
６          接着剤
９          カッター装置
１２        回転刃
【図１】
2006006838.tif 000003
【図２】
2006006838.tif 000004
【図３】
2006006838.tif 000005
【図４】
2006006838.tif 000006
【図５】
2006006838.tif 000007